(57)【要約】【課題】  一定時間ごとに牽引／弛緩して餌を自動牽制できる自動牽制浮きを提供する。【解決手段】  浮き本体（１０）と，浮き本体を貫通して設けられ釣り糸（３４）を挿通可能な可撓性筒体（３３）と，筒体に係止された牽引ワイヤ（３２）と，牽引ワイヤを牽引／弛緩動作可能な牽引機構（２５等）と，第１動力源（１４等）と，第１動力源からの動力を牽引機構に伝達して牽引ワイヤの牽引動作を行わせ所定の牽引動作後に復帰する第１動力伝達系（１８等）と，第２動力源（１４ａ等）と，第２動力源からの動力を牽引機構に伝達して牽引ワイヤの弛緩動作を行わせ所定の弛緩動作後に復帰する第２動力伝達系（１９ａ）とから主に構成される。第１動力伝達系の作用により釣り糸を牽引動作させ，第２動力伝達系の作用により釣り糸を弛緩動作させることにより，牽制動作させる。【選択図】      図１
0003103185.tif 000002
【実用新案登録請求の範囲】
【請求項１】
浮き本体と，浮き本体を貫通して設けられ釣り糸を挿通可能な可撓性筒体と，前記筒体に係止された牽引ワイヤと，前記牽引ワイヤを牽引／弛緩動作可能な牽引機構と，第１動力源と，第１動力源からの動力を前記牽引機構に伝達して前記牽引ワイヤの牽引動作を行わせ所定の牽引動作後に復帰する第１動力伝達系と，第２動力源と，第２動力源からの動力を前記牽引機構に伝達して前記牽引ワイヤの弛緩動作を行わせ所定の弛緩動作後に復帰する第２動力伝達系とを備えたことを特徴とする，浮き。
【請求項２】
前記第１動力源は第１ぜんまい機構であり，第２動力源は第２ぜんまい機構であり，第１および第２ぜんまい機構は共通軸を備えており，ぜんまい巻上げ動作時には前記共通軸を介して同一動作により巻上げが可能であることを特徴とする，請求項１に記載の浮き。
【請求項３】
前記牽引機構は，前記牽引ワイヤが係止された回転盤と，前記回転盤の内側の一部に形成された内側ギアと，前記内側ギアに噛んで前記回転盤を牽引方向に回転させるラッチと，前記ラッチを駆動するカム機構とから構成されることを特徴とする，請求項１または２のいずれかに記載の浮き。
【請求項４】
前記第１動力伝達系は，前記第１ぜんまい機構から動力を受けて回転するギア機構と，前記ギア機構の回転を前記カム機構に伝達して前記ラッチを駆動させる動力中継手段と，前記動力中継手段を復帰させる復帰手段とから成ることを特徴とする，請求項３に記載の浮き。
【請求項５】
前記第２動力伝達系は，前記第２ぜんまい機構から動力を受けて回転するギア機構と，前記ギア機構の回転を前記カム機構に伝達して前記ラッチによるラッチ動作から解放された回転盤を回転させて前記牽引ワイヤを弛緩動作させることを特徴とする，請求項３に記載の浮き。
【請求項６】
前記筒体は，前記浮き本体に対して傾斜して配されていることを特徴とする，請求項１，２，３，４または５のいずれかに記載の浮き。
【考案の詳細な説明】
【技術分野】
【０００１】
本考案は，浮きに関し，詳細には，釣り糸に設置される浮きが一定時間ごとに糸を引いたり緩めたりできることで，餌を自動牽制できる自動牽制浮きに関する。
【背景技術】
【０００２】
釣りにおいて，浮きは重要な要素である。特に，海釣りの場合には，新しいつり方法が開発されており，それにともなう小物も頻繁に開発されている。
【０００３】
しかし，昔から浮きは２つの機能しか持っておらず，魚が居そうな場所まで餌を投げて流す運搬機能と，魚が餌を口に入れる際に浮きが潜水して魚が餌に食いついたこと知らせる告知機能しかなかった。勿論，大きさと形，浮力，昼間用，夜間用等数多くの浮きが市販されているが，結局は，この二つの機能さえ充実すれば良かった。近年，低浮力浮きや水中浮きなど高機能な浮きも開発されているが，これらの浮きも，結局は上記の２つの機能をもっている。
【０００４】
海釣りでは，動物性餌すなわち，ミミズや海老などを針に刺して餌として，魚を釣ることが多い。しかし，釣果は，季節，地域，時間，１５日周期で変わる海水，塩度，水温，底の地形，潮流などの諸条件により異なる。魚の食餌活動が旺盛な時には，一般的な釣り方法であっても，あるいは餌がついてなくても，魚が釣れる場合がある。しかし，全く場所でも，水中は同じ条件ではなく，明らかに魚がいるにもかかわらず，食餌活動を全く行わなかったり，食餌活動を行ったとしても消極的であったりする場合には，釣り人はあらゆる手段を講じ，小物一つの使い方にも工夫を凝らすものである。例えば，肉眼では識別ができないような１/１０ｍｍの釣り糸を論じる場合もある。
【０００５】
このように釣果は，小物にも左右されるが，さらに重要な要素は，餌であり，高い釣果を上げるためには，生きの良い餌が必須である。しかし，いくら生きの良い餌だとしでも，体に比較して大きい針がささった状態で，長時間にわたり活発に動くことは不可能である。そこで，釣り人は，牽制という任意の動作を行うことで，たとえ死んだ餌でも，生きて動くように見せることにより，食欲がない魚の食餌活動も活性化させることができる。特に黒鯛，すずき，眼張，など対象魚は，牽制に対して速い反応を見せる。
【考案の開示】
【考案が解決しようとする課題】
【０００６】
しかしながら，牽制動作は難しく，熟練の技が必要であった。本考案は，かかる点に鑑みてなされたものであり，本考案の目的は，釣り糸に設置される浮きが一定時間ごとに糸を引いたり緩めたりすることで，餌が生き生きと動いているように自動的に牽制動作ができる新規かつ改良された浮きを提供することである。
【０００７】
さらに本考案の別の目的は，釣竿で直接浮きを動かす大きな動作でなく，浮き自体が適当な時間間隔(例えば，１０秒前後)で適当な動作(例えば２〜３ｃｍ程度の瞬間垂直上昇)をするため餌により，魚がひっかかる時まで餌を絶えず生きて動くように見せることが可能であり，たとえ，冷凍グリル用海老を使っても，生き生きした活海老の牽制動作させることが可能な，新規かつ改良された浮きを提供することである。
【課題を解決するための手段】
【０００８】
本考案に係る浮きは，浮き本体と，浮き本体を貫通して設けられ釣り糸を挿通可能な可撓性筒体と，筒体に係止された牽引ワイヤと，牽引ワイヤを牽引／弛緩動作可能な牽引機構と，第１動力源と，第１動力源からの動力を牽引機構に伝達して牽引ワイヤの牽引動作を行わせ所定の牽引動作後に復帰する第１動力伝達系と，第２動力源と，第２動力源からの動力を牽引機構に伝達して牽引ワイヤの弛緩動作を行わせ所定の弛緩動作後に復帰する第２動力伝達系とを備えたことを特徴とする。
【０００９】
第１動力源を第１ぜんまい機構として構成し，第２動力源を第２ぜんまい機構として構成し，第１および第２ぜんまい機構は共通軸を備えており，ぜんまい巻上げ動作時には共通軸を介して同一動作により巻上げが可能である。
【００１０】
牽引機構は，牽引ワイヤが係止された回転盤と，回転盤の内側の一部に形成された内側ギアと，内側ギアに噛んで回転盤を牽引方向に回転させるラッチと，ラッチを駆動するカム機構とから構成することができる。かかる構成により，ラッチが内側ギアに噛んでいる間だけ回転盤に牽引動作を行わせ，それ以外の場合には，回転盤をラッチ動作から解放させることができる。
【００１１】
第１動力伝達系は，第１ぜんまい機構から動力を受けて回転するギア機構と，ギア機構の回転をカム機構に伝達してラッチを駆動させる動力中継手段と，動力中継手段を復帰させる復帰手段とから構成することができる。
【００１２】
第２動力伝達系は，第２ぜんまい機構から動力を受けて回転するギア機構と，ギア機構の回転をカム機構に伝達してラッチによるラッチ動作から解放された回転盤を回転させて牽引ワイヤを弛緩動作させるように構成することができる。
【００１３】
浮き本体は，例えば断面が長楕円形形状とすることができ，浮きの筒体は，浮き本体に対して傾斜して配することにより，釣り糸の牽引動作をより円滑に行わせることができる。
【００１４】
さらに上記課題を解決するための，本考案の一構成例を示すと，本考案にかかる浮きは，フレームの下部に両側ぜんまいを固定する固定ピンと，上記両側ぜんまいに設置されて回転する駆動ギアと，上記一側ぜんまいの中心にぜんまい軸とぜんまい軸とつながり，ぜんまいを巻けるぜんまいレバーと，上記両側駆動ギアと噛み合う第１二段ギアと，上記第１二段ギアと噛み合う第２二段ギアと，上記一側第２二段ギアと噛み合う半月型ギアと，上記半月型ギア軸の一側には一側回転体があり，他側には他側回転体とスプリングがつながり，上記他側第２二段ギアと噛み合う回転盤の回転ギアと，上記回転ギアの内側には内側ギアが設置され，上記内側ギアに噛み合いながら重量中心が下になるよう軸に設置されたラッチと，上記ラッチは回転盤に設置されたカムの上側突起部の間に設置され，上記回転盤にはワイヤまたは組みひもの一端が係止されており，巻いたり緩めたりできるようにし，上記ワイヤまたは組みひもの他端は，牽制浮きの上部に斜めに形成されるホールの中にゴムホースとつながり，上記ゴムホースには釣り糸が貫通するように設置されている。
【考案の効果】
【００１５】
本考案によれば，釣り糸に設置される浮きが一定時間ごとに糸を引っ張ったり，緩めたりすることで，餌が動くようにして餌を自動牽制できて，釣竿で直接動かす大きい動作でなく，浮き自体で適当な時間(例えば，１０秒前後)に適当な動作(例えば２〜３ｃｍ程度の瞬間垂直上昇)をするため，魚を釣る時，餌を絶えず生きて動いているよう見せかけることで，魚が動く餌に近づきやすくし，魚を釣れる確立を高める利点がある。
【考案を実施するための最良の形態】
【００１６】
以下に，添付図面を参照しながら，本考案にかかる浮きの好適な実施形態について詳細に説明する。なお，以下の説明において，実質的に同一の機能構成を有する構成要素については同一の符号を付することにより重複説明を省略することにする。
【００１７】
図１は，本考案の自動牽制浮きの構成図で，図２は，本考案の自動牽制浮きの断面構成図であり，図３は，本考案の自動牽制浮きの駆動装置構成図である。そして，図４は，本考案の第１二段ギアと第２二段ギアの連結構成図で，図５は，図４の側面図であり，図６ａと図６ｂは，本考案のぜんまい軸とぜんまいレバーの状態図で，図７は，本考案の内側ギアとラッチの構成図であり，図８は，図７の側面図である。
【００１８】
本考案は，浮き本体（１０）と，浮き本体（１０）に設けられたホール（１）を貫通して設けられ釣り糸（３４）を挿通可能な可撓性筒体，例えば弾性ゴムホース（３３）と，筒体に係止された牽引ワイヤ（３２）と，牽引ワイヤ（３２）を牽引／弛緩動作可能な牽引機構と，第１動力源と，第１動力源からの動力を牽引機構に伝達して牽引ワイヤ（３２）の牽引動作を行わせ所定の牽引動作後に復帰する第１動力伝達系と，第２動力源と，第２動力源からの動力を牽引機構に伝達して牽引ワイヤ（３２）の弛緩動作を行わせ所定の弛緩動作後に復帰する第２動力伝達系とから主に構成される。
【００１９】
第１および第２動力源は，フレーム(１２)の下両側に設けられる。第１動力源は，例えば，第１ぜんまい１４と第１駆動ギア（１５）とから成る第１ぜんまい機構として構成される。第２動力源は，例えば，第２ぜんまい（１４ａ）と第２駆動ギア（１５ａ）とから成る第２ぜんまい機構として構成される。第１および第２ぜんまい(１４，１４ａ)の終端は固定ピン(１３)によりフレーム（１２）に肯定される。第１および第２ぜんまい(１４，１４ａ)には，各々駆動ギア(１５，１５ａ)を設置する。上記第１および第２ぜんまい(１４，１４ａ)の中心には，共通軸１６が設けられ，他側に設けられたぜんまいレバー（１７）により，ぜんまい(１４，１４ａ)を巻けるように構成されている。
【００２０】
牽引機構は，例えば，牽引ワイヤ（３２）が係止された回転盤（２５）と，回転盤（２５）の内側の一部に形成された内側ギア（２７）と，内側ギア（２７）に噛んで回転盤（２５）を牽引方向に回転させるラッチ（２９）と，ラッチ（２９）を駆動するようにカム軸（２８）回りを回転するカム（３０）とから構成することができる。ラッチ（２９）は重量中心が下側になるようにカム（３０）に取り付けられている。ラッチ(２９)は，回転盤(２５)に設置されたカム(３０)の上側に突出した両側突起(３１)の間に設置する。かかる構成により，ラッチ（２９）が内側ギア（２７）に噛んでいる間だけ回転盤（２５）に牽引動作を行わせ，それ以外の場合には，回転盤（２５）をラッチ動作から解放させることができる。
【００２１】
第１動力伝達系は，第１ぜんまい（１６）から動力を受けて回転するギア機構と，ギア機構の回転を，後述する第２動力系の他側第２ギア（１９ａ）と回転ギア（２６）を介してカム（３０）に伝達してラッチ（２９）を駆動させる動力中継手段と，動力中継手段を復帰させる復帰手段とから構成することができる。
【００２２】
第１動力伝達系のギア機構は，例えば，第１ぜんまい（１６）の一側駆動ギア（１５）と，一側駆動ギア(１５)と噛み合う一側第１二段ギア(１８)と，一側第１二段ギア(１８)と噛み合う一側第２二段ギア(１９)とから主に構成されている。さらに，一側第２二段ギア(１９)と噛み合う半円形ギア(２０)と，半円形ギア(２０)のシャフト(２１)一側には一側回転体(２２)と他側には他側回転体(２３)に一端が固定されたスプリング(２４)が設置されている。
【００２３】
第１動力伝達系の動力中継手段は，例えば，図４および図５に示すように，一側第１二段ギア(１８)に設けられた掛かり突起と，他側第２二段ギア(１９ａ)に設けられた掛かり突起と，パンスプリング（３５）とを備えている。パンスプリング（３５）は，中心軸(３６)を中心にして，その両端が上記掛かり突起にかかるように設置され，パンスプリング(３５)が元の位置に戻るように，復帰手段としてトーションスプリング(３７)が設置される。
【００２４】
第２動力伝達系は，第２ぜんまい（１６ａ）から動力を受けて回転するギア機構と，ギア機構の回転をカム機構に伝達してラッチ（２９）によるラッチ動作から解放された回転盤２５を回転させて牽引ワイヤを弛緩動作させるように構成することができる。
【００２５】
第２動力伝達系のギア機構は，例えば，第２ぜんまい(１４ａ)の駆動ギア(１５ａ)と噛み合う他側第１二段ギア(１８ａ)と，上記他側第１二段ギア(１８ａ)と噛み合う他側第２二段ギア(１９ａ)とから構成され，上記他側第２二段ギア(１９ａ)は，回転盤(２５)の回転ギア(２６)と噛み合うように配置される。
【００２６】
浮き(１０)は外観断面が長い楕円形で形成されている。浮き(１０)のホール(１１)は一側から他側まで所定の傾斜角度，例えば４０度〜５５度の角度に傾斜するように形成されている。上記ぜんまい軸(１６)の先端中央には溝と，上記ぜんまいレバー(１７)には上記溝に挟まれる結合突起が形成されている。さらに，上記牽制浮き(１０)の上部中央に夜間用ケミカルライト設置溝(４０)が形成されている。
【００２７】
上記の通り構成された自動牽制浮き(１０)は，図６ｂのように，ぜんまいレバー(１７)をぜんまい軸(１６)と結合してから，ぜんまいレバー(１７)を回すことにより，第１および第２ぜんまい(１４，１４ａ)を同時に巻ける。以後ぜんまい軸(１６)とぜんまいレバー(１７)を図６ａのように分離して作動をすると，回転数の違いにより両側ぜんまい(１４，１４ａ)が各々徐々に解けながら動作することになる。両側駆動ギア(１５，１５ａ)は各々違う回転数で回転するため，各々駆動ギア(１５，１５ａ)と噛み合う第１二段ギア(１８，１８ａ)も所定の速度で駆動させる。この時第１二段ギア(１８，１８ａ)により各々第２二段ギア(１９，１９ａ)を回転させるようになる。
【００２８】
上記一側第２二段ギア(１９)は，半円形ギア(２０)を回転させる。上記半円形ギア(２０)が回転すると，一側回転体(２２)と他側回転体(２３)が徐々に回転する。この時，他側回転体(２３)に一端が固定されたスプリング(２４)の弾性力に抗して回転しているうちに，スプリング(２４)の復原力によって反対方向に回転するようになる。このような動作を繰り返し，回転体(２２，２３)が時計方向と反時計方向に駆動するようになる。
【００２９】
上記のような状態で図４と図５のように，一側第１二段ギア(１８)と他側第２二段ギア(１９ａ)間に連結されているパンスプリング(３５)の元位置に戻すため，トーションスプリング(３７)は中心軸(３６)を中心に切曲部分真中と突出部分アルミ固定版と連結する。
【００３０】
上記パンスプリング(３５)の復原力により，他側第２二段ギア(１９ａ)が回転し，上記第２二段ギア(１９ａ)と噛み合う回転ギア(２６)が回転し，さらに上記回転ギア(２６)と一体になった回転盤(２５)が回転して，ワイヤ(３２)を巻くようになる。その結果，牽制浮き(１０)のホール(１１)に設置されたゴムホース(３３)がワイヤ(３２)により牽引され，ゴムホース(３３)内部に設置された釣り糸(３４)も共に引っ張られ，釣り糸(３４)が下方に所定距離，例えば２〜３ｃｍ引っ張られる。それにより餌が上向きに動くようになる。この時内側ギア(２７)の内側に設置されたカム(３０)の上側に設置されたラッチ(２９)は回転する内側ギア(２７)の歯を順々に越えて行くようになる。
【００３１】
上記のような状態で駆動ギア(１５ａ)が回転すると，他側第１二段ギア(１８ａ)を回転させ，上記他側第１二段ギア(１８ａ)により他側第２二段ギア(１９ａ)を回転させて，他側第２二段ギア(１９ａ)により回転ギアを逆回転させて，回転盤(２５)が回転してワイヤ(３２)を解くようになるので，弾性力を持つゴムホース(３３)がホール(１１)内側で元の位置に戻り，引いていた釣り糸(３４)を緩めることになり，餌が下へ移動するように見える。
【００３２】
上記のような動作の反復することで釣り糸(３４)の先端の針に刺されている餌が１０秒程度に一回ずつ上下運動を繰り返し，魚を釣る時まで餌を絶えず生きて動くように見せて魚が動く餌を近づきやすくすることで魚の釣れる確立を高くできる。
【図面の簡単な説明】
【００３３】
【図１】図１は，本考案の自動牽制浮きの構成図。
【図２】図２は，本考案の自動牽制浮きの断面構成図。
【図３】図３は，本考案の自動牽制浮きの駆動装置構成図。
【図４】図４は，本考案の第１二段ギアと第段ギアの連結構成図。
【図５】図５は，本考案の図４の側面図。
【図６ａ】図６ａは，本考案のぜんまい軸とぜんまいレバーの状態図。
【図６ｂ】図６ｂは，本考案のぜんまい軸とぜんまいレバーの状態図。
【図７】図７は，本考案の内側ギアとレ浮きの構成図。
【図８】図８は，本考案の図７の側面図。
【符号の説明】
【００３４】
１０：浮き
１１：ホール
１２：フレーム
１３：固定ピン
１４，１４ａ：ぜんまい
１５，１５ａ：駆動ギア
１６：ぜんまい軸
１７：ぜんまいレバー
１８，１８ａ：第１二段ギア
１９，１９ａ：第２二段ギア
２０：半円形ギア
２１：シャフト
２２：一側回転体
２３：他側回転体
２４：スプリング
２５：回転盤
２６：回転ギア
２７：内側ギア
２８：軸
２９：ラッチ
３０：カム
３１：両側突起
３２：ワイヤ
３３：ゴムホース
３４：釣り糸
３５：パンスプリング
３６：中心軸
３７：トーションスプリング
【図１】
0003103185.tif 000003
【図２】
0003103185.tif 000004
【図３】
0003103185.tif 000005
【図４】
0003103185.tif 000006
【図５】
0003103185.tif 000007
【図６ａ】
0003103185.tif 000008
【図６ｂ】
0003103185.tif 000009
【図７】
0003103185.tif 000010
【図８】
0003103185.tif 000011